(57)【要約】【課題】  防水床パンを貫通する部分の防水性を確保しつつ、簡単な取付け操作によって防水床パンを挟んだ両側の配管を接続させることのできるユニットバス用配管接続金物を提供する。【解決手段】  ユニットバス１２の防水床パン１５に開口形成された貫通孔１９に取り付けて用いられ、上下の配管１４ａ１４ｂを接続するユニットバス用配管接続金物１０であって、外周面に雄ネジ部１４が形成されると共に通水路２５が貫通形成され、防水パッキン２６を挟み込みつつ雄ネジ部２４にナット部材２７ａ，２７ｂを螺合締着することにより防水床パン１５に固定される中央固定部１８と、中央固定部２８の両端部に一体として設けられ、通水路２５と連通する端部通水路２５ａ，２５ｂが貫通形成されると共に、配管の端部１４ａ１４ｂが水密に接合される水密接合機構３０，３１を備える一対の配管接続部３２，３３とからなる。【選択図】      図１
2005336930.tif 000002
【特許請求の範囲】
【請求項１】
ユニットバスの防水床パンに開口形成された貫通孔に取り付けて用いられ、防水床パンを挟んだ両側の空間に配設される配管を接続するユニットバス用配管接続金物であって、
外周面に雄ネジ部が形成されると共に通水路が貫通形成され、前記貫通孔の周縁部との間に防水パッキンを挟み込みつつ前記雄ネジ部にナット部材を螺合締着することにより前記防水床パンに固定される中央固定部と、
該中央固定部の両端部に各々一体として設けられ、前記通水路と連通する端部通水路が貫通形成されると共に、前記配管の端部が水密に接合される水密接合機構を備える一対の配管接続部とからなるユニットバス用配管接続金物。
【請求項２】
少なくとも一方の前記配管接続部の水密接合機構が、前記配管の端部を差し込むことにより当該端部を水密に係止する機能を備える差込み式管継手である請求項１記載のユニットバス用配管接続金物。
【請求項３】
少なくとも一方の前記配管接続部の水密接合機構が、外周面に形成された接続雄ネジ部によって構成され、該接続雄ネジ部に前記配管の先端に取り付けた雌ネジ部材を螺合締着することにより、前記配管を水密に接続する請求項１記載のユニットバス用配管接続金物。
【請求項４】
前記中央固定部の少なくとも一方の端部の外周面には、前記雄ネジ部の円形断面を２箇所以上の弓形部分で切り欠くことにより、スパナ部材の係止用切欠き面が設けられている請求項１〜３のいずれかに記載のユニットバス用配管接続金物。
【発明の詳細な説明】
【技術分野】
【０００１】
本発明は、ユニットバス用配管接続金物に関し、特にユニットバスの防水床パンに開口形成された貫通孔に取り付けて用いられ、防水床パンを挟んだ両側の空間に配設される配管を接続するユニットバス用配管接続金物に関する。
【背景技術】
【０００２】
近年、例えば住宅建築物の浴室として、浴室の区画内にユニットバスを設置して形成されるものが多くなってきている。ユニットバスは、例えば工場等において合成樹脂製品として複数に分割されて予め精度良く製造された構成部品を、建築施工現場に搬入し、所望の形状に一体として組み立てることによって形成されるものである。またユニットバスは、種々の機能を有するシステムバス等を容易に形成することが可能である。このようなユニットバスは、一般に、底面部に配置される浴槽側床パンや洗い場側床パン等からなる防水床パンと、防水床パンの周縁部に沿って立設配置される壁パネルと、壁パネルの上方に取り付けられる天井パネルと、防水床パンの上方に設置される浴槽及び洗い場や、カウンター、膜板、浴槽エプロン等によって構成されている。
【０００３】
ユニットバスは、浴室内で使用した湯水を外部に漏らすことなく排水できるように、強固な防水性や止水性を備えており、例えば浴槽や洗い場で使用された浴湯やシャワー水等の湯水は、これらに設けられた排水穴から排水用配管を介して、ユニットバスの周囲への漏出を遮断した状態で排出されることになる。また、浴槽や洗い場と、これらの下方の防水床パンとは、空間部を保持した二重構造となっており、床下や天井裏等から防水床パンを貫通してユニットバスの内部に導入される給水管、給湯管、追焚用配管等は、二重構造の空間部に配管されて、カウンターや壁パネル等に取り付けられた給水設備、給湯設備、追焚設備等と接続されるようになっている。
【０００４】
一方、防水床パンは、浴槽や洗い場の下方に配置され、これらの接続部分の隙間や給水設備、給湯設備、追焚設備等の取付け箇所の隙間、或いは破損部分等から、浴槽や洗い場の下方に湯水が回り込んでも、このような湯水を受けて、ユニットバスの下方の床下や天井裏等へ漏出するのを効果的に回避する機能をも備えるものである。したがって、防水床パンに貫通穴を設けて給水管、給湯管、追焚用配管等を配設する場合には、当該貫通穴を介して湯水を下方に漏出させないようにすることが必要であり、そのための工夫が種々なされている（例えば、特許文献１、特許文献２、特許文献３参照）。
【０００５】
すなわち、特許文献１に記載の防水床パンによれば、浴室の基礎床の上に配管した給水、給湯等の供給配管を収納する配管収納スペースを、防水床パンの浴槽設置部の洗い場側の端部に、当該浴槽設置部を上方に凸曲させることで形成し、この配管収納スペースの上面を、浴槽設置部より十分に高さの高い平面とするものである。そして、この上面に供給配管を挿通して、供給配管を浴槽設置部の上に導出することにより、浴槽設置部よりも十分に高さの高い配管収納スペースの上面で供給配管を貫通させることが可能になって、この部分から防水床パンの下面側に水が漏水するのを防止できるようにしたものである。
【０００６】
また、特許文献２に記載のシステムバスルームにおける防水床パンの配管構造によれば、配管部からの漏水を確実に防止できるようにすることを目的として、防水床パン本体の洗い場部側の壁載置面部に開口部を設けると共に、この開口部をブーツ状のゴムパッキンにて水密的に閉塞する。そして、このゴムパッキンに形成した貫通口部に給水管や給湯管等の配管を貫通状態で立上げて配設して、締結部材で水密的に締結すると共に、貫通口部の立上り高さを防水床パン本体の壁載置面部よりも高く保持するようにしたものである。
【０００７】
さらに、特許文献３に記載の防水床パンへの給水・給湯管の取り付け構造によれば、防水床パンに設けた貫通穴とこれに貫通させる給水・給湯管との隙間をコーキング処理するのみでは防水が不十分であったことから、更に確実な防水を図るために、一端部に顎及び雄ネジを連設した立上げパイプ、締付けナット、パッキン、及びライナーからなる配管保持セットを蓋板に予め取り付けるようにしてから、防水床パンの開口部に当てがい、ビスにて固定するようにしたものである。
【特許文献１】特開平８−２１８６５５号公報
【特許文献２】特開平１０−１５２８７３号公報
【特許文献３】特開平９−６００６８号公報
【発明の開示】
【発明が解決しようとする課題】
【０００８】
しかしながら、特許文献１の防水床パンによれば、浴槽設置部の特定の部分を上方に凸曲させて設けた配管収納スペースに向けて、供給配管を防水床パンの下方で配管する作業は、手間のかかる作業になると共に、浴槽設置部よりも高い高さで供給配管を貫通させるだけでは、十分な防水機能を発揮できない場合がある。また、特許文献２の防水床パンの配管構造によれば、洗い場部側の壁載置面部に設けた開口部に向けて、供給配管を防水床パンの下方で配管する作業は、手間のかかる作業になると共に、ブーツ状のゴムパッキンで防水床パンに設けた開口部を閉塞したり、ゴムパッキンに形成した貫通口部に配管を貫通させて締結部材で締結するだけでは、十分な防水機能を発揮できない場合がある。さらに、特許文献３の取り付け構造によれば、立上げパイプに挿通される給水・給湯管と当該立上げパイプとの間や、開口部を覆う蓋板の周囲に隙間が生じやすく、十分な防水機能を発揮できない場合がある。
【０００９】
本発明は、このような従来の課題に着目してなされたもので、簡易な作業によって防水床パンの任意の箇所に取り付けて用いられ、防水床パンを貫通する部分の防水性を確実に確保しつつ、簡単な取付け操作によって防水床パンを挟んだ両側の配管を接続させることにより、ユニットバスへの給水や給湯等を容易に可能にすることのできるユニットバス用配管接続金物を提供することを目的とする。
【課題を解決するための手段】
【００１０】
本発明は、ユニットバスの防水床パンに開口形成された貫通孔に取り付けて用いられ、防水床パンを挟んだ両側の空間に配設される配管を接続するユニットバス用配管接続金物であって、外周面に雄ネジ部が形成されると共に通水路が貫通形成され、前記貫通孔の周縁部との間に防水パッキンを挟み込みつつ前記雄ネジ部にナット部材を螺合締着することにより前記防水床パンに固定される中央固定部と、該中央固定部の両端部に各々一体として設けられ、前記通水路と連通する端部通水路が貫通形成されると共に、前記配管の端部が水密に接合される水密接合機構を備える一対の配管接続部とからなるユニットバス用配管接続金物を提供することにより、上記目的を達成したものである。
【００１１】
そして、本発明のユニットバス用配管接続金物によれば、少なくとも一方の前記配管接続部の水密接合機構が、前記配管の端部を差し込むことにより当該端部を水密に係止する機能を備える差込み式管継手であることが好ましい。
【００１２】
また、本発明のユニットバス用配管接続金物によれば、少なくとも一方の前記配管接続部の水密接合機構を、外周面に形成された接続雄ネジ部によって構成し、該接続雄ネジ部に前記配管の先端に取り付けた雌ネジ部材を螺合締着することにより、前記配管を水密に接続するようにすることもできる。
【００１３】
さらに、本発明のユニットバス用配管接続金物によれば、前記中央固定部の少なくとも一方の端部の外周面には、前記雄ネジ部の円形断面を２箇所以上の弓形部分で切り欠くことにより、スパナ部材の係止用切欠き面が設けられていることが好ましい。
【発明の効果】
【００１４】
本発明のユニットバス用配管接続金物によれば、簡易な作業によって防水床パンの任意の箇所に取り付けて用いられ、防水床パンを貫通する部分の防水性を確実に確保しつつ、簡単な取付け操作によって防水床パンを挟んだ両側の配管を接続させることにより、ユニットバスへの給水や給湯等を容易に可能にすることができる。
【発明を実施するための最良の形態】
【００１５】
本発明の好ましい第１実施形態に係るユニットバス用配管接続金物１０は、図１及び図２に示すように、例えば住宅建築物における浴室１１の区画内に設置されたユニットバス１２に対して、ユニットバス１２の床下空間１３に配設される給水、給湯用の配管１４を、ユニットバス１２の防水床パン１５を通過させてユニットバス１２の内部に導入し、洗い場１６の給水・給湯台１７や壁パネル１８に設けた給水設備や給湯設備等と接続して、湯水を供給できるようにするために、防水床パン１５に開口形成された配管用の貫通孔１９に取り付けて用いられる。
【００１６】
ここで、本第１実施形態によれば、ユニットバス１２は、システムバスを構成するものであって、例えば浴室１１の区画の床部分の骨組構造に支持させて、当該骨組構造に取り付けた支持脚（図示せず）を介して所定の高さに設置される防水床パン１５と、防水床パン１５の周縁部に沿って立設配置される壁パネル１８と、壁パネル１８の上方に取り付けられる天井パネル（図示せず）と、防水床パン１５の上方に設置される浴槽２０及び洗い場１６と、カウンター２１、膜板２２、浴槽エプロン２３、給水・給湯台１７、鏡、シャワー器具等によって構成されている。またユニットバス１２は、これらの構成部品を合成樹脂製品等として予め工場等において精度良く製造し、建築施工現場に搬入して、スステムバスとして一体として組み立てることによって形成されるものである。
【００１７】
そして、本第１実施形態のユニットバス用配管接続金物１０は、図３（ａ），（ｂ）、図４、及び図５に示すように、ユニットバス１２の防水床パン１５に開口形成された貫通孔１９に取り付けて用いられ、防水床パン１５を挟んだ両側の空間に配設される配管１４ａ，１４ｂを接続するための金物であって、外周面に雄ネジ部２４が形成されると共に通水路２５（図５参照）が貫通形成され、貫通孔１９の周縁部との間に防水パッキン２６を挟み込みつつ雄ネジ部２４にナット部材２７ａ，２７ｂを螺合締着することにより防水床パン１５に固定される中央固定部２８と、この中央固定部２８の両端部に各々一体として設けられ、通水路２５と連通する端部通水路２５ａ，２５ｂ（図５参照）が貫通形成されると共に、配管１４ａ，１４ｂの端部が水密に接合される水密接合機構３０，３１を備える一対の配管接続部３２，３３とによって構成されている。
【００１８】
また、本第１実施形態によれば、防水床パン１５の下方に配置される一方の配管接続部３２の水密接合機構３０が、下方配管１４ａの端部を差し込むことにより当該端部を水密に係止する機能を備える差込み式管継手３４となっており、防水床パン１５の上方に配置される他方の配管接続部３３の水密接合機構３１が、外周面に形成された接続雄ネジ部３５によって構成されており、この接続雄ネジ部３５に上方配管１４ｂの先端に取り付けた雌ネジ部材２９を螺合締着することにより、配管２４ｂを水密に接続するようになっている。
【００１９】
本第１実施形態のユニットバス用配管接続金物１０を構成する中央固定部２８は、外周面に雄ネジ部２４が形成された金属製の円筒状部分であって、例えば内径が９〜１８ｍｍ、外径が２０〜４０ｍｍ、長さが２０〜４０ｍｍ程度の大きさを有していて、内径が２１〜４１ｍｍ程度の大きさで防水床パン１５に開口形成された一対の貫通孔１９に各々挿入配置され、雄ネジ部２４に螺合装着される六角ナット形状の上方ナット部材２７ａ及び下方ナット部材２７ｂを用いて、貫通孔１９の周縁部に水密に固定されることになる。すなわち、例えば雄ネジ部２４に下方ナット部材２７ｂを螺着して当該雄ネジ部２４の下部に移動させると共に、下方ナット部材２７ｂの上面に防水ゴム等からなる円環リング形状の防水パッキン２６を配設した状態で、中央固定部２８の上部を貫通孔１９に下方から挿入して、これの上端部分を防水床パン１５の上方に突出させる。しかる後に、突出した雄ネジ部２４に別の防水パッキン２６を装着すると共に、上方ナット部材２７ａを雄ネジ部２４の上部に螺着して締結することにより、防水パッキン２６を介在させつつ、上下のナット部材２７ａ，２７ｂによって貫通孔１９の周縁部を強固に挟み込んだ状態で、ユニットバス用配管接続金物１０が貫通孔１９に固定されることになる。
【００２０】
ここで、中央固定部２８の上端部の外周面には、雄ネジ部２４の円形断面を対向する２箇所の弓形部分で切り欠くことにより、スパナ部材の係止用切欠き面３６が設けられている。雄ネジ部２４の上端部の外周面に係止用切欠き面３６が設けられていることにより、これにスパナ部材を係止して中央固定部２８の共廻りを防止しつつ、防水床パン１５の上方からの作業によって、上方ナット部材２７ａを他のスパナ部材によって強固に締め付けて締着する作業を、容易且つスムーズに行うことが可能になる。
【００２１】
また、防水床パン１５の上方から締め付けられる上方ナット部材２７ａと共に貫通孔１９の周縁部を挟み込む部分として、雄ネジ部２４に螺着される下方ナット部材２７ｂが用いられているので、当該下方ナット部材２７ｂの中央固定部２８における螺着高さを上下に移動することにより、貫通孔１９に取り付けられるユニットバス用配管接続金物１０の固定高さを適宜調整することが可能になる。
【００２２】
中央固定部２８の下端部に一体として設けられる下方配管接続部３２は、中央固定部２８と連続して一体成形される円筒状部分であって、内部に端部通水路２５ａが貫通形成されていると共に、差込み式管継手３４からなる水密接合機構３０を備えている。差込み式管継手３４は、例えば特開２００１−２０８２７１号公報に記載された差込み式管継手と略同様の構成を備えるもので、例えば内筒や締付け環体、拡径ワッシャー等を備えていて、例えば固定用金属スリーブ３７を下方配管１４ａの端面の開口に挿入配置した状態で、当該下方配管１４ａの端部を下方配管接続部３２の内部にこれの下端開口から押し込むように挿入するだけの簡単な操作によって、下方配管１４ａをユニットバス用配管接続金物１０に水密に且つ容易に接合固定できるようになっている。なお、このような差込み式管継手３４による水密接合機構３０を備える下方配管接続部３２として、より具体的には、例えば商品名プッシュロックII（（株）ブリヂストン製）を用いる
ことができる。
【００２３】
中央固定部２９の上端部に一体として設けられる上方配管接続部３３は、中央固定部２８と連続して一体成形される、中央固定部２８よりも外径が小さな円筒状部分であって、内部に端部通水路２５ｂが貫通形成されると共に、外周面に接続雄ネジ部３５からなる水密接合機構３１を備えている。接続雄ネジ部３５による水密接合機構３１には、例えば上方配管１４ｂの端部に当該配管１４ｂに対して回転可能な状態で一体として取り付けられらた雌ネジ部材２９が螺合締着され、このような簡単な締着作業によって、上方配管１４ｂをユニットバス用配管接続金物１０に水密に且つ容易に接合固定できるようになっている。
【００２４】
そして、上述の構成を備える本第１実施形態のユニットバス用配管接続金物１０は、上述の簡易な作業によって防水床パン１５の任意の箇所に取り付けて用いられ、防水床パン１５を貫通する部分の防水性を確実に確保しつつ、簡単な取付け操作によって防水床パン１５を挟んだ両側の配管１４ａ，１４ｂを接続させることにより、ユニットバス１２への給水や給湯等を容易に可能にすることができる。
【００２５】
すなわち、本第１実施形態によれば、貫通孔１９の周縁部との間に防水パッキン２６を挟み込みつつ、雄ネジ部２４に上方ナット部材１７ａを螺合締着することにより中央固定部２８を固定して、当該中央固定部２８によって貫通孔１９の防水性を確実且つ強固に確保することができる。また下方配管接続部３２や上方配管接続部３３に水密接合機構３０，３１を介して上下の配管１４ａ，１４ｂを各々水密に接合することにより、通水路２５及び端部通水路２５ａ，２５ｂを経て上下の配管１４ａ，１４ｂを容易に連通させることができるので、ユニットバス用配管接続金物１０自体が貫通孔１９を閉塞する強固な防水機能を発揮して、その取付け位置を防水床パン１５よりも特に高くすることなく、防水床パン１５の任意の箇所に貫通孔１９を形成して当該ユニットバス用配管接続金物１０を取り付けることが可能になる。したがって、貫通孔１９に取り付けられたユニットバス用配管接続金物１０に向けた、防水床パン１５の下方の床下空間１３における下方配管１４ａの配設作業を容易に行うことができると共に、差込み式管継手３４や接続雄ネジ部３５による水密接合機構３０，３１への配管１４ａ，１４ｂの接合を、簡単な操作によって行うことができ、これらによって、ユニットバス１２に給水機能や給湯機能等を容易に付与することが可能になる。
【００２６】
図６及び図７（ａ），（ｂ）は、本発明の第２実施形態に係るユニットバス用配管接続金物４０を示すものであり、本第２実施形態の配管接続金物４０によれば、上記第１実施形態のユニットバス用配管接続金物１０と略同様の構成を備える一方で、下方ナット部材２７ｂに相当する部材は設けられておらず、外周面に雄ネジ部４１が形成された中央固定部４２には、その下端部外周面から外側に張り出すようにして、六角フランジ部４３が一体固定されて設けられている。また、本第２実施形態によれば、中央固定部４２の下端部に一体として設けられる下方配管接続部４４の水密接合機構は、例えば特開２００１−２０８２７１号公報に記載された差込み式管継手と略同様の構成を備える差込み式管継手４５として、例えば商品名エスロカチット（積水化学工業（株）製）が用いられている。
【００２７】
そして、本発明のユニットバス用配管接続金物４０によれば、防水パッキン４５を介在させつつ、ナット部材４６及び六角フランジ部４３によって貫通孔４７の周縁部を強固に挟み込んだ状態で貫通孔４７に容易に固定されると共に、下方配管接続部４４の差込み式管継手に下方配管４８ａの端部が、上方配管接続部４９の接続雄ネジ部５０に上方配管４８ｂの端部が各々水密に接合されて、上記第２実施形態の配管接続金物１０と同様の作用効果を奏することになる。
【００２８】
なお、本発明は上記各実施形態に限定されることなく種々の変更が可能である。例えば、ユニットバス用配管接続金物が取り付けられる貫通孔は、防水床パンの底部分に限定されることなく、立上り部分等、任意の箇所に設けて配管接続金物を取り付けることができる。また、一対の配管接続部の双方の水密接合機構を、いずれも差込み式管継手或いは接続雄ネジ部として用いることもでき、上方の水密接合機構を接続雄ネジ部とし、下方の水密接合機構を接続雄ネジ部とすることもできる。さらに、配管の端部が水密に接合される水密接合機構は、差込み式管継手や接続雄ネジ部に限定されるものではない。さらにまた、雄ネジ部にスパナ部材の係止用切欠き面を設ける必要は必ずしもない。
【図面の簡単な説明】
【００２９】
【図１】本発明の第１実施形態に係るユニットバス用配管接続金物が用いられるユニットバスを説明する部分断面図である。
【図２】本発明の第１実施形態に係るユニットバス用配管接続金物が用いられるユニットバスを説明する平面図である。
【図３】（ａ）及び（ｂ）は本発明の第１実施形態に係るユニットバス用配管接続金物の防水床パンへの取り付け状況を説明する側面図である。
【図４】本発明の第１実施形態に係るユニットバス用配管接続金物の構成を説明する斜視図である。
【図５】本発明の第１実施形態に係るユニットバス用配管接続金物の断面図である。
【図６】本発明の第２実施形態に係るユニットバス用配管接続金物の側面図である。
【図７】（ａ）及び（ｂ）は本発明の第２実施形態に係るユニットバス用配管接続金物の防水床パンへの取り付け状況を説明する側面図である。
【符号の説明】
【００３０】
１０  ユニットバス用配管接続金物
１１  浴室
１２  ユニットバス
１３  床下空間
１４  配管
１４ａ，４８ａ  下方配管
１４ｂ，４８ｂ  上方配管
１５  防水床パン
１６  洗い場
１７  給水・給湯台
１８  壁パネル
１９，４７  貫通孔
２０  浴槽
２４，４１  雄ネジ部
２５  通水路
２５ａ，２５ｂ  端部通水路
２６，４５  防水パッキン
２７ａ  上方ナット部材
２７ｂ  下方ナット部材
２８，４２  中央固定部
２９  雌ネジ部材
３０，３１  水密接合機構
３２，４４  下方配管接続部
３３，４９  上方配管接続部
３４  差込み式管継手
３５，５０  接続雄ネジ部
３６  係止用切欠き面
４３  六角フランジ部
４６  ナット部材
【図２】
2005336930.tif 000003
【図３】
2005336930.tif 000004
【図４】
2005336930.tif 000005
【図５】
2005336930.tif 000006
【図６】
2005336930.tif 000007
【図７】
2005336930.tif 000008
【図１】
2005336930.tif 000009